(57)【要約】【課題】回転ハンドルを３６０°以上の範囲で回転させた場合であっても、そのときのバルブの開閉状態を天面側から適切に表示することのできるバルブ開閉表示装置を提供する。【課題を解決するための手段】  本発明のバルブ開閉表示装置Ａは、回転ハンドル１と一体に回転するように配したスパイラルテープ３と、該スパイラルテープ３を出し入れする開口部１８を天面４ａに有する収容表示体４とを備える。回転不能な収容表示体４に対してその天面４ａを覆うように回転ハンドル１を回転自在に被嵌する。そして、回転ハンドル１が閉領域にあるときには、覗き窓２を通じて収容表示体４の天面４ａが視認され、回転ハンドル１が開領域にあるときには、収容表示体４の開口部１８から引き出されたスパイラルテープ３の一部が、覗き窓２を通じて視認されるように設ける。【選択図】図１
2011052748.tif 000002
【特許請求の範囲】
【請求項１】
回転操作によりバルブ開閉を行う回転ハンドルの天面に覗き窓を設け、該覗き窓を通じてバルブ開閉状態を表示する装置であって、回転ハンドルの内面にその一端部を固定することで該回転ハンドルと一体に回転するように配したスパイラルテープと、該スパイラルテープをその周方向に沿って出し入れすることのできる開口部を天面に有する収容表示体とを備え、回転不能な収容表示体に対してその天面を覆うように回転ハンドルの内面側を回転自在に被嵌し、回転ハンドルが所定の閉領域にあるときには、覗き窓を通じて収容表示体の天面が視認され、回転ハンドルが所定の開領域にあるときには、収容表示体の開口部から引き出されて該収容表示体の天面を隠すように位置するスパイラルテープの一部が、覗き窓を通じて視認されることを特徴とするバルブ開閉表示装置。
【請求項２】
上記収容表示体の天面の一部であって回転ハンドルの覗き窓を通じて視認される部分に、所定の閉表示を付し、上記スパイラルテープの一部であって回転ハンドルの覗き窓を通じて視認される部分に、所定の開表示を付してあることを特徴とする請求項１に記載のバルブ開閉表示装置。
【請求項３】
請求項１又は２に記載のバルブ開閉表示装置を備えたことを特徴とする調整バルブ。
【発明の詳細な説明】
【技術分野】
【０００１】
本発明は、バルブの開閉状態を表示するための技術に関する。
【背景技術】
【０００２】
バルブの開閉状態を回転ハンドルの天面側に表示する装置として、特許文献１には、図６に示す構成のものが開示されている。この装置は、回転操作によりバルブ開閉を行う回転ハンドル１の天面１ａに覗き窓２を設けておき、この覗き窓２を通じて、バルブ開閉状態（「閉」、「開」等）を表示する装置である。
【０００３】
この装置は、回転不能に設けた表示筒５０に対し、その天面５０ａを覆うように回転ハンドル１を回転自在に被嵌させたものであり、表示筒５０の天面５０ａに「閉」、「開」等の文字表記を付した構造となっている。この構造により、回転ハンドル１が所定の閉領域にあるときには、該回転ハンドル１の覗き窓２を通じて表示筒５０の「閉」の表記が視認され（図６の状態）、回転ハンドル１が所定の開領域にあるときには、該回転ハンドル１の覗き窓２を通じて表示筒５０の「開」の表記（図示せず）が視認される。
【０００４】
このように、バルブ開閉状態が回転ハンドル１の天面１ａ側に表示されることで、使用者にとっては現在の開閉状態を、分かり易く且つ速やかに知ることができる。
【０００５】
ところで、上記構造の装置においては、バルブ開閉のための回転ハンドル１の回転範囲が、３６０°未満に制限されるという問題がある。というのも、回転ハンドル１が１回転すると、覗き窓２を通じて視認される表示筒５０の表記が「閉」から「開」に移動した後、再び「閉」に戻ってしまうからである。
【先行技術文献】
【特許文献】
【０００６】
【特許文献１】特開平７−２８０１３４
【発明の概要】
【発明が解決しようとする課題】
【０００７】
本発明は上記問題点に鑑みて発明したものであって、回転ハンドルを３６０°以上の範囲で回転させた場合であっても、その回転位置におけるバルブの開閉状態を該回転ハンドルの天面側から適切に表示することのできるバルブ開閉表示装置を提供することを、課題とする。
【課題を解決するための手段】
【０００８】
上記課題を解決するため、本発明のバルブ開閉表示装置Ａを、下記構成を具備したものとする。
【０００９】
本発明のバルブ開閉表示装置Ａは、回転操作によりバルブ開閉を行う回転ハンドル１の天面１ａに覗き窓２を設け、該覗き窓２を通じてバルブ開閉状態を表示する装置である。このバルブ開閉表示装置Ａは、回転ハンドル１の内面にその一端部を固定することで該回転ハンドル１と一体に回転するように配したスパイラルテープ３と、該スパイラルテープ３をその周方向に沿って出し入れすることのできる開口部１８を天面４ａに有する収容表示体４とを備え、回転不能な収容表示体４に対してその天面４ａを覆うように回転ハンドル１の内面側を回転自在に被嵌する。そして、回転ハンドル１が所定の閉領域にあるときには、覗き窓２を通じて収容表示体４の天面４ａが視認され、回転ハンドル１が所定の開領域にあるときには、収容表示体４の開口部１８から引き出されて該収容表示体４の天面４ａを隠すように位置するスパイラルテープ３の一部が、覗き窓２を通じて視認されるように設ける。
【００１０】
上記構成から成る本発明のバルブ開閉表示装置Ａによれば、覗き窓２から収容表示体４の天面４ａが視認される場合には、回転ハンドル１が閉領域にあることが分かる。また、覗き窓２からスパイラルテープ３が視認される場合には、回転ハンドル１が開領域にあることが分かる。回転ハンドル１が全閉位置から１周を超えて回転した場合であっても、その回転位置での覗き窓２からは、回転ハンドル１と一体に引き出されたスパイラルテープ３の一部が視認される。
【００１１】
つまり、本発明のバルブ開閉表示装置Ａによれば、回転ハンドル１を３６０°以上の範囲で回転させた場合であっても、その回転位置でのバルブ開閉状態を、該回転ハンドル１の天面１ａ側から適切に表示することができるのである。
【００１２】
さらに、本発明のバルブ開閉表示装置Ａにおいては、上記収容表示体４の天面４ａの一部であって回転ハンドル１の覗き窓２を通じて視認される部分に、所定の閉表示２０を付し、上記スパイラルテープ３の一部であって回転ハンドル１の覗き窓２を通じて視認される部分に、所定の開表示２１を付してあることが好適である。このようにすることで、使用者に対して、覗き窓２を通じて閉表示２０と開表示２１のいずれかを明確に示すことができる。
【００１３】
また、上記課題を解決するため、本発明の調整バルブＢを、上記構成から成るバルブ開閉表示装置Ａを備えたものとしてもよい。
【発明の効果】
【００１４】
本発明は、回転ハンドルを３６０°以上の範囲で回転させた場合であっても、その回転位置におけるバルブの開閉状態を該回転ハンドルの天面側から適切に表示することができるという効果を奏する。
【図面の簡単な説明】
【００１５】
【図１】本発明の実施形態における一例のバルブ開閉表示装置の分解斜視図である。
【図２】同上のバルブ開閉表示装置の他の分解斜視図である。
【図３】同上のバルブ開閉表示装置を備えた調整バルブの正面図である。
【図４】同上の調整バルブの断面図である。
【図５】同上のバルブ開閉表示装置を天面側から視た図であり、（ａ）は全閉位置、（ｂ）は３０°回転位置、（ｃ）は６０°回転位置、（ｄ）は９０°回転位置、（ｅ）は２７０°回転位置、（ｆ）は４０５°回転位置にある場合を示している。
【図６】従来のバルブ開閉表示装置を天面側から視た図である。
【発明を実施するための形態】
【００１６】
本発明を、添付図面に示す実施形態に基づいて説明する。
【００１７】
図１、図２には、本発明の実施形態における一例のバルブ開閉表示装置Ａを示している。図３、図４には、一例のバルブ開閉表示装置Ａを装着した状態の調整バルブＢを示している。また、図５には、回転ハンドル１の回転に応じて開閉状態が表示される様子を示している。
【００１８】
本例のバルブ開閉表示装置Ａは、使用者が回転操作をすることで調整バルブＢを開閉させることのできる回転ハンドル１の天面１ａに覗き窓２を設け、この覗き窓２を通じて該調整バルブＢの開閉状態を表示するものである。
【００１９】
図示のように、本例のバルブ開閉表示装置Ａは、覗き窓２を有する回転ハンドル１と、回転ハンドル１の内面に対して一端部を固定されるスパイラルテープ３と、調整バルブＢに対して回転不能に装着される収容表示体４とで構成される。
【００２０】
上記回転ハンドル１は、リング状を成す天板５の内周縁から筒状の内周壁６を延設し、また、該天板５の外周縁からも同方向にむけて筒状の外周壁７を延設したものである。天板５の一部に覗き窓２を貫通形成し、該覗き窓２内に透明の窓板９を嵌め込んでいる。
【００２１】
回転ハンドル１の天板５から延設される内周壁６は、基端側の大径筒部６ａと、先端側の小径筒部６ｂと、大径筒部６ａと小径筒部６ｂの間の段部６ｃとから成る。小径筒部６ｂの内周面には、調整バルブＢの弁棒３０（図４参照）が挿通されるキー状の凹凸形状を軸方向に設けてある。小径筒部６ｂに挿通された弁棒３０は、上記凹凸形状に係止されて回転ハンドル１と一体に回転する。
【００２２】
回転ハンドル１の外周壁７には、使用者が把持しやすいように凸状のグリップ部１０を側方に突設してある。グリップ部１０は、外周壁７の周方向に等間隔をおいて複数形成してあり、回転ハンドル１の天面１ａ（つまり天板５の外面）全体を掌で覆った状態でグリップを効かせやすいように設けている。
【００２３】
上記スパイラルテープ３は、１周を超えて巻かれた樹脂性のテープであり、本例ではそのテープ厚み方向（図１〜図４中の上下方向）に３周程度巻かれた形状としている。スパイラルテープ３の一端部には、テープ厚み方向にビス孔１１を貫設してある。このビス孔１１を通じて回転ハンドル１の内天面（つまり天板５の内面）にビス１２を固定することで、スパイラルテープ３が回転ハンドル１と一体に回転するように設ける。樹脂製のスパイラルテープ３は、少なくとも周方向において一定形状を保つような定型性を有している。
【００２４】
上記収容表示体４は、調整バルブＢに対して回転不能に装着されるホルダ１３と、このホルダ１３に一体に保持されるリング状の箱体１４とから成る。
【００２５】
筒型をなすホルダ１３の内周面には、調整バルブＢのグランドナット３１（図４参照）が挿通されるキー状の凹凸形状を軸方向に設けてある。グランドナット３１の外周面が上記凹凸形状に係止されることで、ホルダ１３は調整バルブＢに対して回転不能に装着される。
【００２６】
ホルダ１３は、軸方向に貫通した円筒部１６から全周に亘ってフランジ部１７を延設した形状である。フランジ部１７には、軸方向をむく平坦面を形成しており、該平坦面上にリング状の箱体１４を配置する。このとき、リング状である箱体１４の中央貫通孔内には、ホルダ１３のフランジ部１７から軸方向に突出した円筒部１６が、図中下方から嵌入される。また、この円筒部１６内には、回転ハンドル１から延設した上記筒型の内周壁６が、図中上方から嵌入される。
【００２７】
樹脂製の箱体１４には、そのリング状をなす天面１４ａに、開口部１８を形成している。上記開口部１８は、リング状をなす天面１４ａの周方向の一部領域を切り取ったものであり、スパイラルテープ３が出入り可能な円弧状に形成されている。開口部１８の径方向の幅は、スパイラルテープ３の径方向の幅よりも僅かに広く設けてある。なお、この箱体１４の天面１４ａが、収容表示体４全体の天面４ａとなる。
【００２８】
箱体１４とスパイラルテープ３と回転ハンドル１とでは、その色彩を互いに相違させている。例えば、箱体１４を赤色、スパイラルテープ３を黄色、回転ハンドル１を緑色といった具合である。そして、箱体１４の天面１４ａの一部には、所定の閉表示２０（例えば図示のような「ＣＬＯＳＥ」の文字表記）を付し、スパイラルテープ３の一部には、所定の開表示２１（例えば図示のような「ＯＰＥＮ」の文字表記）を付している。
【００２９】
箱体１４の天面１４ａの閉表示２０は、開口部１８近傍であり且つ該開口部１８よりも閉弁方向ｒ２に所定距離だけ離れた箇所に、テープ貼着により付してある。ここでの閉弁方向ｒ２とは、調整バルブＢを閉じる際に回転ハンドル１を回転させる方向である。スパイラルテープ３の開表示２１は、該スパイラルテープ３の一端部を回転ハンドル１の内天面の所定箇所にビス固定したときに、回転ハンドル１の覗き窓２を通じて直接視認される所定箇所に、印刷により付してある。
【００３０】
上記構成からなる一例のバルブ開閉表示装置Ａは、図３、図４に示すような適宜の調整バルブＢに対して装着される。図示の調整バルブＢは高圧ガス用の三方弁であるが、回転ハンドル１によって開度調整を行う構造のバルブであればよく、アングル弁、グローブ弁等の適宜形態に適用可能である。
【００３１】
図示の調整バルブＢは、流路を形成する本体ハウジング３２と、本体ハウジング３２に固着されるグランドナット３１と、グランドナット３１内に回転自在に保持される弁棒３０と、弁棒３０の回転に連動して進退するように本体ハウジング３２内に装着される弁体３３とを備えている。
【００３２】
弁棒３０は、グランドナット３１から先端側を図中上方に突出した姿勢で保持される。弁棒３０の突出部分の外周面には、回転ハンドル１の小径筒部６ｂ内面の凹凸形状に係止される角部３４を形成している。また、角部３４を形成してある上記突出部分の先端から、さらに雄ねじ部３５を突設している。
【００３３】
上記調整バルブＢにバルブ開閉表示装置Ａを装着するに際しては、調整バルブＢのグランドナット３１に対して、バルブ開閉表示装置Ａのホルダ１３を図中上方から被嵌させる。このとき、ホルダ１３の下部がグランドナット３１に対して回転不能に係止される。グランドナット３１から突出した弁棒３０は、筒型のホルダ１３全体を上下に貫通する貫通孔を通じて、上方に突出する。
【００３４】
このホルダ１３のフランジ部１７上面にリング状の箱体１４を配置し、ホルダ１３と箱体１４とで、収容表示体４を形成する。また、回転ハンドル１の内天面には、幾重かに巻かれたスパイラルテープ３の一端部をビス固定する。このスパイラルテープ３は、箱体１４の天面１４ａに形成した開口部１８を通じて、該箱体１４内に出し入れ自在に収容される。
【００３５】
回転ハンドル１は、その内周壁６と外周壁７との間で形成されるリング状のスペース内に箱体１４が配置され、且つ、内周壁６がホルダ１３の貫通孔内に嵌入する姿勢となるよう、グランドナット３１の端面上にパッキン８を介して載置される。このとき、グランドナット３１から突出する弁棒３０は、回転ハンドル１の内周壁６内側の貫通空間を通じて、上方に突出する。上記弁棒３０の角部３４は、回転ハンドル１の小径筒部６ｂの内周面に設けてある凹凸形状に対して、回転不能に係止する。これにより、回転ハンドル１と弁棒３０とが、一体に回転するように接続される。
【００３６】
弁棒３０から突設した雄ねじ部３５は、回転ハンドル１を収容表示体４に被嵌させた状態で、該回転ハンドル１の貫通空間を通じて上方に突出する。回転ハンドル１の内周壁６に形成してある段部６ｃ上にコイル状のスプリング３６を配置し、雄ねじ部３５に対してハンドルナット３７を螺合させる。このハンドルナット３７の下方への螺進によってスプリング３６を圧縮させ、該スプリング３６のバネ付勢によって、回転ハンドル１を開閉表示装置Ａ及び調整バルブＢに対して回転自在に装着する。
【００３７】
図５には、上記調整バルブＢに装着したバルブ開閉表示装置Ａにおいて、回転ハンドル１の天面１ａ側から覗き窓２を通じて視認される表記が、バルブ開閉に応じて変更される様子を示している。図５（ａ）は回転ハンドル１が全閉位置にある場合、図５（ｂ）〜（ｆ）は、それぞれ回転ハンドル１が３０°〜４０５°の回転位置にある場合を順に示している。
【００３８】
回転ハンドル１は、該回転ハンドル１が図５（ａ）の全閉位置にある場合には、天面１ａの覗き窓２を通じて箱体１４の天面１４ａ（つまり、収容表示体４の天面４ａ）が視認されるように装着してある。このとき、天面１４ａに付してある閉表示２０が、覗き窓２の中央部分に視認されるように設けている。
【００３９】
天面１４ａ上の開口部１８は、閉表示２０を付してある箇所から開弁方向ｒ１にずれた近傍箇所（本例では、開弁方向ｒ１に４５°程度ずれた個所）に設けてある。また、スパイラルテープ３の一端部は、回転ハンドル１の覗き窓２を設けてある箇所とは回転中心を挟んで反対側の箇所に、ビス固定してある。スパイラルテープ３は、ビス固定する一端部から、閉弁方向ｒ２にむけて幾重かに巻かれる形状に設けている（図１、図２参照）。ここでの閉弁方向ｒ２とは、調整バルブＢを閉じる際に回転ハンドル１を回転させる方向である。
【００４０】
スパイラルテープ３は、ビス固定される一端部から開口部１８に至るまでの部分を除いては、箱体１４内に回転自在に収容される。そのため、回転ハンドル１が図５（ａ）の全閉位置にあるときには、スパイラルテープ３が覗き窓２から視認されることはない。
【００４１】
回転ハンドル１を、全閉位置から開弁方向ｒ１へと回転させてゆくと、図５（ｂ）〜（ｄ）に示すように、回転ハンドル１の覗き窓２の位置は開口部１８の位置に至り、さらに該開口部１８の位置を越して回転移動する。このとき、スパイラルテープ３は回転ハンドル１と一体に回転し、開口部１８から順次引き出される。回転ハンドル１の覗き窓２が開弁方向ｒ１に回転し、開口部１８の位置を越した後は、天面１ａ側から覗き窓２を通じてスパイラルテープ３の所定箇所のみが視認されるようになる。そして、このスパイラルテープ３の所定箇所に、開表示２１が付してある。
【００４２】
そのため、回転ハンドル１を図５（ｅ）のように２７０°回転させた場合は勿論のこと、図５（ｆ）のように１周を超えて４０５°回転させた場合であっても、覗き窓２を通じて、スパイラルテープ３の所定箇所（及びそこに付してある開表示２１）が視認される。
【００４３】
上記したように、一例のバルブ開閉表示装置Ａによれば、回転ハンドル１が所定の閉領域にあるときには、該回転ハンドル１の天面１ａにある覗き窓２を通じて箱体１４の天面１４ａ（つまり、収容表示体４の天面４ａ）が視認される。そして、回転ハンドル１が所定の開領域に至ったときには、開口部１８から引き出されて箱体１４の天面１４ａを隠すように位置するスパイラルテープ３の一部が、覗き窓２を通じて視認される。したがって、使用者にとっては、覗き窓２から箱体１４の天面１４ａが視認される場合には回転ハンドル１が閉領域にあり、覗き窓２からスパイラルテープ３が視認される場合には開領域にあることが分かる。
【００４４】
そして、回転ハンドル１が全閉位置から１周を超える程度まで開弁方向ｒ１に回転した場合であっても、覗き窓２からは、やはりスパイラルテープ３の一部が視認される。なお、図示のような４０５°程度に限らず、数周する程度まで回転ハンドル１が回転するように調整バルブＢが設けてある場合であっても、開領域の全てにおいて覗き窓２からスパイラルテープ３が視認されるように設定できる。
【００４５】
加えて、一例の開閉表示装置Ａにおいては、上記箱体１４の天面１４ａの一部であって回転ハンドル１の覗き窓２を通じて視認される部分に、所定の閉表示２０が付してあり、スパイラルテープ３の一部であって回転ハンドル１の覗き窓２を通じて視認される部分に、所定の開表示２１が付してあるので、覗き窓２を通じて、閉表示２０と開表示２１のいずれかを使用者に対して明確に示すことができる。
【００４６】
また、回転ハンドル１と、スパイラルテープ３と、箱体１４の少なくとも天面１４ａの部分とで、互いに色彩を相違させていることで、使用者にとっては、バルブ開閉状況を色彩感覚的にも速やかに把握しやすいようになっている。例えば、緑色である回転ハンドル１の覗き窓２内に、箱板１４の天面１４ａの赤色が視認できれば閉状態と速やかに判断でき、緑色である回転ハンドル１の覗き窓２内に、スパイラルテープ３の黄色が視認できれば開状態と速やかに判断できる。
【００４７】
以上、本発明を添付図面に示す実施形態に基づいて説明したが、本発明は上記実施形態に限定されるものではなく、本発明の意図する範囲内であれば、適宜の設計変更を行うことが可能である。
【符号の説明】
【００４８】
１  回転ハンドル
１ａ  天面
２  覗き窓
３  スパイラルテープ
４  収容表示体
４ａ  天面
１８  開口部
２０  閉表示
２１  開表示
Ａ  バルブ開閉表示装置
Ｂ  調整バルブ
【図１】
2011052748.tif 000003
【図２】
2011052748.tif 000004
【図３】
2011052748.tif 000005
【図４】
2011052748.tif 000006
【図５】
2011052748.tif 000007
【図６】
2011052748.tif 000008